(57)【要約】【課題】カップに付加された情報を利用者に負担を強いることなく正確に読み出せる飲料用自動販売機を提供する。【解決手段】カップに対して飲料を販売する販売部を備えた飲料用自動販売機であって、カップに設けられるＩＣタグが記憶する個別の識別情報と飲料情報とを対応付けて記憶する記憶部と、ＩＣタグから識別情報を読み出すための読出部と、カップに対して飲料を販売する際に、カップに設けられたＩＣタグから読出部により読み出された識別情報と対応付けられて記憶部に記憶された飲料情報に基づいて、販売部に飲料を販売させる制御部と、を備えてなる。【選択図】      図２
2006127138.tif 000002
【特許請求の範囲】
【請求項１】
カップに対して飲料を販売する販売部を備えた飲料用自動販売機であって、
前記カップに設けられるＩＣタグが記憶する個別の識別情報と飲料情報とを対応付けて記憶する記憶部と、
前記ＩＣタグから前記識別情報を読み出すための読出部と、
前記カップに対して前記飲料を販売する際に、前記カップに設けられたＩＣタグから前記読出部により読み出された識別情報と対応付けられて前記記憶部に記憶された飲料情報に基づいて、前記販売部に前記飲料を販売させる制御部と、
を備えたことを特徴とする飲料用自動販売機。
【請求項２】
前記飲料情報は、前記飲料の販売に関する販売履歴情報であり、
前記制御部は、前記販売部に前記飲料を販売させた後、当該飲料の販売に関する情報を新たな前記販売履歴情報として前記記憶部に記憶させる、
ことを特徴とする請求項１に記載の飲料用自動販売機。
【請求項３】
前記販売履歴情報は、販売された前記飲料の販売数を示す販売数情報であり、
前記制御部は、前記販売数情報の示す販売数が所定数に達した場合、前記販売部に前記飲料を無料又は割引販売させる、
ことを特徴とする請求項２に記載の飲料用自動販売機。
【請求項４】
前記販売履歴情報は、販売された前記飲料における添加物を示す添加物情報であり、
前記制御部は、前記添加物情報に基づいて、前記販売部に前記飲料を自動的に販売させる、
ことを特徴とする請求項２に記載の飲料用自動販売機。
【請求項５】
カップに対して飲料を販売する販売部を備えた飲料用自動販売機であって、
前記カップに設けられるＩＣタグが記憶する飲料情報を読み出すための読出部と、
前記カップに対して前記飲料を販売する際に、前記カップに設けられたＩＣタグから前記読出部により読み出された飲料情報に基づいて、前記販売部に前記飲料を販売させる制御部と、
を備えたことを特徴とする飲料用自動販売機。
【請求項６】
前記飲料情報は、当該飲料情報を記憶するＩＣタグが設けられたカップの利用者の嗜好に関する嗜好情報であり、
前記ＩＣタグは、前記嗜好情報が書込部を通じて書き込み可能である、
ことを特徴とする請求項５に記載の飲料用自動販売機。
【請求項７】
前記ＩＣタグは、前記カップに対して取り付け及び取り外し可能である、ことを特徴とする請求項１乃至６の何れかに記載の飲料用自動販売機。
【請求項８】
カップに設けられ個別の識別情報を記憶するＩＣタグと、
前記識別情報と飲料情報とを対応付けて記憶する記憶部を有するサーバと、
前記カップに対して前記飲料を販売する販売部と、前記カップに設けられるＩＣタグから識別情報を読み出す読出部と、前記カップに対して前記飲料を販売する際に、前記カップに設けられたＩＣタグから前記読出部により読み出された識別情報と対応付けられて前記サーバの記憶部に記憶された飲料情報に基づいて、前記販売部に前記飲料を販売させる制御部とを有し前記サーバと通信可能に接続される飲料用自動販売機と、
を備えたことを特徴とする飲料販売システム。
【請求項９】
カップに対して飲料を販売する販売部を備えた飲料用自動販売機の飲料販売方法であって、
前記カップに対して前記飲料を販売する際に、
前記カップに設けられ個別の識別情報を記憶するＩＣタグから当該識別情報を読み出す読出ステップと、
前記識別情報と飲料情報とを対応付けて記憶する記憶部を参照し、前記読出ステップにおいて読み出された識別情報と対応付けられて前記記憶部に記憶された飲料情報に基づいて、前記販売部に前記飲料を販売させる制御ステップと、
を備えたことを特徴とする飲料販売方法。
【発明の詳細な説明】
【技術分野】
【０００１】
本発明は、カップに対して飲料を販売する飲料用自動販売機、当該飲料用自動販売機を有する飲料販売システム、及び当該飲料用自動販売機の飲料販売方法に関する。
【背景技術】
【０００２】
例えば、カップに対して飲料を販売する販売部を備えた飲料用自動販売機が知られている。このような飲料用自動販売機は、例えば職場等で各利用者がコーヒーや紅茶等の飲料を購入して飲むために設置される。この場合、前記のカップは使い捨ての紙カップ又はプラスチックカップが一般的であるため、資源浪費やゴミ処理等の問題がある。また、紙カップやプラスチックカップで飲む飲料は味気ないという問題もある。そこで、例えばバーコードが印刷されたカップを予め用意しておき、各利用者がこのカップを所定位置に置くと、バーコード情報をリーダ等により適宜読み出し、このバーコード情報に基づいて販売部から飲料を販売する所謂マイカップ機能を備えた飲料用自動販売機が開示されている（例えば、特許文献１参照。）。ここで、バーコード情報としては例えばカップの利用者を識別する情報が用いられる。また、このような情報はバーコードに限らず、文字や図形等も可能とされている。
【特許文献１】特開平９−２６７８４５号公報
【発明の開示】
【発明が解決しようとする課題】
【０００３】
しかしながら、前述した飲料用自動販売機では、例えばバーコード情報の読み出しができなかったり、読み間違ったりする虞がある。即ち、飲料等によりカップの表面が汚れたり、カップの洗浄により表面のインクが剥落したりしてバーコードが不鮮明となる虞がある。一方、バーコード情報を正確に読み出すためには、リーダに対してバーコードが所定の位置を保つべくカップが所定の向きに正確に配置されていなければならないため、カップの置き方に関して利用者に強いる負担が大きくなる虞がある。このような問題は、カップに印刷された情報がバーコード情報である場合に限ったことではなく、文字情報や図形情報等についても起こり得る問題である。このように、利用者にとって使い勝手が悪いと、所謂マイカップ機能を備えた飲料用自動販売機が将来普及し難くなる。
【０００４】
本発明は、かかる課題に鑑みてなされたものであり、その目的とするところは、カップに付加された情報を利用者に負担を強いることなく正確に読み出せる飲料用自動販売機を提供することにある。
【課題を解決するための手段】
【０００５】
前記課題を解決するための発明は、カップに対して飲料を販売する販売部を備えた飲料用自動販売機であって、前記カップに設けられるＩＣタグが記憶する個別の識別情報と飲料情報とを対応付けて記憶する記憶部と、前記ＩＣタグから前記識別情報を読み出すための読出部と、前記カップに対して前記飲料を販売する際に、前記カップに設けられたＩＣタグから前記読出部により読み出された識別情報と対応付けられて前記記憶部に記憶された飲料情報に基づいて、前記販売部に前記飲料を販売させる制御部と、を備えてなる。
【０００６】
この飲料用自動販売機によれば、例えば飲料によりＩＣタグが汚れたとしても、当該ＩＣタグと読出部との間の例えばラジオ波の送受信には支障が生じない。また、カップを例えば洗浄しても、当該カップにＩＣタグが固着していれば、当該ＩＣタグと読出部との間の例えばラジオ波の送受信には支障が生じない。よって、例えばバーコードをカップの表面に印刷する場合に比べて、カップに付加された情報がより正確に読み出される。また、ＩＣタグと読出部とがとるべき相対位置の精度は、例えば光学的な読み出しの必要なバーコードとそのリーダとの相対位置の精度ほど厳しくない。従って、カップに付加された情報を利用者に負担を強いることなく正確に読み出せる飲料用自動販売機が提供されることになる。
【０００７】
また、かかる飲料用自動販売機において、前記飲料情報は、前記飲料の販売に関する販売履歴情報であり、前記制御部は、前記販売部に前記飲料を販売させた後、当該飲料の販売に関する情報を新たな前記販売履歴情報として前記記憶部に記憶させる、ことが好ましい。
【０００８】
また、かかる飲料用自動販売機において、前記販売履歴情報は、販売された前記飲料の販売数を示す販売数情報であり、前記制御部は、前記販売数情報の示す販売数が所定数に達した場合、前記販売部に前記飲料を無料又は割引販売させる、ことが好ましい。
【０００９】
また、かかる飲料用自動販売機において、前記販売履歴情報は、販売された前記飲料における添加物を示す添加物情報であり、前記制御部は、前記添加物情報に基づいて、前記販売部に前記飲料を自動的に販売させる、ことが好ましい。
【００１０】
また、前記課題を解決するための発明は、カップに対して飲料を販売する販売部を備えた飲料用自動販売機であって、前記カップに設けられるＩＣタグが記憶する飲料情報を読み出すための読出部と、前記カップに対して前記飲料を販売する際に、前記カップに設けられたＩＣタグから前記読出部により読み出された飲料情報に基づいて、前記販売部に前記飲料を販売させる制御部と、を備えてなる。
【００１１】
また、かかる飲料用自動販売機において、前記飲料情報は、当該飲料情報を記憶するＩＣタグが設けられたカップの利用者の嗜好に関する嗜好情報であり、前記ＩＣタグは、前記嗜好情報が書込部を通じて書き込み可能である、ことが好ましい。
【００１２】
また、かかる飲料用自動販売機において、前記ＩＣタグは、前記カップに対して取り付け及び取り外し可能である、ことが好ましい。
【００１３】
また、前記課題を解決するための発明は、カップに設けられ個別の識別情報を記憶するＩＣタグと、前記識別情報と飲料情報とを対応付けて記憶する記憶部を有するサーバと、前記カップに対して前記飲料を販売する販売部と、前記カップに設けられるＩＣタグから識別情報を読み出す読出部と、前記カップに対して前記飲料を販売する際に、前記カップに設けられたＩＣタグから前記読出部により読み出された識別情報と対応付けられて前記サーバの記憶部に記憶された飲料情報に基づいて、前記販売部に前記飲料を販売させる制御部とを有し前記サーバと通信可能に接続される飲料用自動販売機と、を備えたことを特徴とする飲料販売システムである。
【００１４】
また、前記課題を解決するための発明は、カップに対して飲料を販売する販売部を備えた飲料用自動販売機の飲料販売方法であって、前記カップに対して前記飲料を販売する際に、前記カップに設けられ個別の識別情報を記憶するＩＣタグから当該識別情報を読み出す読出ステップと、前記識別情報と飲料情報とを対応付けて記憶する記憶部を参照し、前記読出ステップにおいて読み出された識別情報と対応付けられて前記記憶部に記憶された飲料情報に基づいて、前記販売部に前記飲料を販売させる制御ステップと、を備えてなる。
【発明の効果】
【００１５】
カップに付加された情報を利用者に負担を強いることなく正確に読み出せる飲料用自動販売機を提供できる。
【発明を実施するための最良の形態】
【００１６】
＝＝＝飲料用自動販売機の構成＝＝＝
図１を参照しつつ、本実施の形態の飲料用自動販売機１の前面構成について説明する。同図は、本実施の形態の飲料用自動販売機１の前面構成例を示す正面図である。前面扉２は、飲料用自動販売機１の側端部に軸支されて開閉するものであり、販売条件のデータの入力や販売機構（販売部）１００（図３）のメンテナンス等を行うときは解錠して開き、飲料販売を行うときは施錠して閉じるものである。接客パネル４は、複数種類の飲料に関する写真、絵柄、文字等が印刷された樹脂板である。硬貨投入口６は、利用者が硬貨を投入する箇所であり、投入硬貨は、飲料用自動販売機１内部の硬貨識別装置に供給される。紙幣挿入口８は、利用者が紙幣を挿入する箇所であり、挿入紙幣は、飲料用自動販売機１内部の紙幣識別装置に供給される。金額表示部１０は、投入硬貨金額や挿入紙幣金額等を表示するものである。値段ラベル１２は、接客パネル４上で、複数種類の飲料の写真、絵柄、文字等に１対１に対応して配置されるものである。商品選択釦１４は、販売可ランプ及び売切ランプを内蔵し、接客パネル４上で、複数種類の飲料の写真、絵柄、文字等に１対１に対応して配置されるものである。粉末原料増量釦１６、砂糖増量釦１８、クリーム増量釦２０、粉末原料減量釦２２、砂糖減量釦２４、クリーム減量釦２６は、１杯の飲料（例えば、コーヒー、紅茶等）に対する混合割合の変更を希望するとき、商品選択釦１４の押下前に押下するものである。嗜好表示部２８は、１杯の飲料に対し、事前に設定された混合割合を基準とする粉末原料、砂糖、クリームの増減の度合を表示するものである。利用者が、粉末原料増量釦１６、砂糖増量釦１８、クリーム増量釦２０、粉末原料減量釦２２、砂糖減量釦２４、クリーム減量釦２６を必要に応じて押下し、その後、販売可ランプが点灯している商品選択釦１４を押下すると、この商品選択釦１４に対応する飲料が飲料用自動販売機１内部の販売機構１００で調理され、商品取出口３０から販売される。返却レバー３６は、投入硬貨自体、投入硬貨又は挿入紙幣から飲料購入金額を減額した釣銭を返却口３８に返却するためのものである。販売中ランプ４０は、販売機構１００が飲料を調理して販売できる状態のときに点灯するものである。販売中止ランプ４２は、全飲料に対応する売切ランプが点灯したとき、或いは、販売機構１００が故障したとき、点灯するものである。釣銭切ランプ４４は、硬貨識別装置内部に貯蔵される釣銭用の硬貨の合計金額が一定金額以下となったときに点灯するものである。
【００１７】
ところで、本実施の形態の飲料用自動販売機１は、所謂カップ式自動販売機としての構成に加えて、利用者が予め用意したカップに飲料を販売する所謂マイカップ機能を実現するための構成を備えている。尚、以後、販売の都度使い捨てのカップを商品取出口３０に新たに供給してこれに飲料を販売する形態をカップ式飲料販売又は通常販売と称し、例えば利用者が商品取出口３０に置いた個人カップに飲料を販売する形態を個人カップ式飲料販売と称することとする。
【００１８】
本実施の形態の個人カップ式飲料販売のための構成の一部は、飲料用自動販売機１の前面構成にも見られる。つまり、図１に例示されるように、商品取出口３０の左側には、利用者が飲料に関する嗜好情報等を入力するための入力キー５１と、個人カップ式飲料販売に関するメッセージを利用者に対して表示するためのディスプレイ５２とを備えた個人カップ式飲料販売用パネル５０が設けられている。
【００１９】
図２に例示されるように、本実施の形態の商品取出口３０の内部は、飲料用自動販売機１の奥部に箱形状をなす複数の壁面で形成されている。同図は、個人カップ１２７が置かれた商品取出口３０の奥部構成例を示す斜視図である。商品取出口３０の奥部下面側には、個人カップ１２７が置かれるべき載置台３５が設けられている。但し、この載置台３５は、通常販売の際に供給される使い捨てのカップも載置可能となっている。また、商品取出口３０の図２における奥部左側面には、後述するＩＣタグ６０（図５（ｂ）参照）についてタグＩＤ等を読み取り嗜好情報等を書き込むためのリーダライタ７０が設けられている。具体的には、リーダライタ７０は、例えばラジオ波の出力部及び検出部が前記の奥部左側面に露出するように設けられている。
【００２０】
一方、本実施の形態では、個人カップ１２７の外側面にはＩＣタグ６０が予め固着されている。ＩＣタグ６０とリーダライタ７０との相対位置は、リーダライタ７０の出力部から出力されるラジオ波がＩＣタグ６０の受信部（不図示）で受信され、当該ＩＣタグ６０の送信部（不図示）から送信されるラジオ波がリーダライタ７０の検出部により検出されるような相対位置であれば、いかなるものでもよい。本実施の形態では、ＩＣタグ６０が商品取出口３０の内部にあれば、前述したラジオ波の送受信が可能であるものとする。但し、図２に例示されるように、個人カップ１２７が載置台３５に載置されたときにＩＣタグ６０の高さ位置とリーダライタ７０の出力部及び検出部の高さ位置とが略一致するように前記の相対位置を設定すれば、ラジオ波の送受信に要する電力がより少なくて済むため、飲料用自動販売機１の低消費電力化及び低コスト化につながる。
【００２１】
尚、リーダライタ７０により読み出し可能なタグＩＤ等を記憶するＩＣタグ６０は、例えば、飲料用自動販売機１を管理する会社又は当該会社と提携して利用者にカップを供給する会社等により管理されるものとする。よって、飲料用自動販売機１の利用者は、個人カップ式飲料販売のサービスを受ける場合、これらの会社からＩＣタグ６０を予め取得しておく必要がある。この場合、利用者がＩＣタグ６０を単体で取得し、自身の個人カップ１２７に固着させてもよいし、予めＩＣタグ６０が固着された個人カップを取得してもよい。本実施の形態では、ＩＣタグ６０は、飲料用自動販売機１と提携して利用者にカップを供給する会社の管理下で、個人カップ１２７に予め固着されるものとする。このようにすれば、ＩＣタグ６０は、前述した低消費電力及び低コストの飲料用自動販売機１を実現すべく、個人カップ１２７に予め固着されて供給される。
【００２２】
また、本実施の形態のＩＣタグ６０及びリーダライタ７０は非接触型である。但し、これに限定されるものではなく、ＩＣタグ６０及びリーダライタ７０は接触型のものであってもよい。
【００２３】
図３を参照しつつ、本実施の形態の飲料用自動販売機１の販売機構１００の一例について説明する。同図は、本実施の形態の販売機構１００におけるレギュラーコーヒーを販売する部分の概略構成例を示す模式図である。本実施の形態の販売機構１００は、主として、レギュラーコーヒー抽出装置１０１、湯タンク１０３、ミキシングボール１１７、砂糖容器１１９、及びクリーム容器１２１を備えて構成される。レギュラーコーヒー抽出装置１０１は、挽き豆と湯とを収容するための適宜なシリンダ、シリンダ内の空間を密閉するための適宜なピストン、挽き豆と湯とからレギュラーコーヒーを濾過するための適宜なフィルタ等を備えて構成される。また、このレギュラーコーヒー抽出装置１０１のシリンダの開口部には、適宜な容器に収容されたコーヒー豆を挽くためのコーヒーミル１１１が隣接するように設けられている。このような構成により、レギュラーコーヒー抽出装置１０１は、コーヒーミル１１１から供給される挽き豆と、湯タンク１０３からポンプ１１３及び電磁弁１１４を介して湯供給管１１５を通じて供給される湯とからレギュラーコーヒーを抽出し、電磁弁１０４を介してコーヒー供給管１０５に供給するものである。ミキシングボール１１７は、ブラックのレギュラーコーヒーに対して、砂糖容器１１９から供給される砂糖、及び／又は、クリーム容器１２１から供給される粉末状をなすクリームを混合するためのものである。尚、ミキシングボール１１７にて砂糖及び／又はクリームと混合され調理された砂糖及び／又はクリーム入りレギュラーコーヒーは、ミキシングボール１１７の下流に設けられた電磁弁１２３を介し供給管１２５を通じてカップ１２７に供給されるようになっている。また、ブラックのレギュラーコーヒーも、ミキシングボール１１７、電磁弁１２３、及び供給管１２５を経由してカップ１２７に供給されるようになっている。
【００２４】
図４を参照しつつ、飲料用自動販売機１が金銭投入を受けて飲料を販売する機能を実現するための制御構成例について説明する。同図は、本実施の形態の飲料用自動販売機１の制御構成例を示すブロック図である。同図に例示されるように、主制御部２０１は、飲料用自動販売機１の制御を統括するものであり、ＣＰＵ２０１ａ、ＲＯＭ２０１ｂ、ＲＡＭ２０１ｃ、周辺回路２０１ｄ等を有するものである。つまり、この主制御部２０１はマイクロコンピュータを中心として動作するものである。具体的には、ＣＰＵ２０１ａは、複数の従制御部を統括制御するためのプログラムが予め記憶されたＲＯＭ２０１ｂから読み出された当該プログラムの解読結果に基づいて当該統括制御を実行するものであり、ＲＡＭ２０１ｃは、ＣＰＵ２０１ａによる演算結果、複数の従制御部からの各種データ等の書き込み又は読み出しを行うものである。ハードウェア面では、ＣＰＵ２０１ａは、ＲＯＭ２０１ｂの実行アドレスを指定するプログラムカウンタ、ＲＯＭ２０１ｂからの読み出し内容を解読するインストラクションデコーダ、論理演算を行う演算論理ユニット、演算データを一時格納するアキュムレータ等を内蔵する。ＲＯＭ２０１ｂは、データを製造工程で焼き付け固定するマスクＲＯＭ、データを紫外線消去することにより当該データを繰り返し書き込み読み出しできるＥＰＲＯＭ（フラッシュＲＯＭを含む）等の不揮発性メモリである。また、ＲＡＭ２０１ｃは、ＳＲＡＭ等の揮発性メモリであり、バックアップ電源を用いてデータを保持する。
【００２５】
本実施の形態の主制御部２０１のＲＡＭ（記憶部）２０１ｃは、販売履歴データ２０１０（図５（ａ））を記憶するものである。図５（ａ）は、本実施の形態の販売履歴データの構成例を示す模式図である。本実施の形態の販売履歴データ２０１０は、個人カップ式飲料販売で販売された飲料（レギュラーコーヒーやコーラ等）毎に、飲料販売の日時、個人カップ１２７に固着されたＩＣタグ６０に記憶されているタグＩＤ、飲料の価格等が対応付けられた表データである。また、コーヒーや紅茶等の飲料に対しては砂糖及びクリーム（添加物）の増減量の有無（添加物情報）が対応付けられている。更に、販売履歴データ２０１０では、後述するように、タグＩＤ毎に飲料の累積販売数が求められこの結果が総販売数（販売数情報）として記憶されている。尚、本実施の形態では、販売履歴データ２０１０におけるタグＩＤ以外の情報全てが飲料情報及び販売履歴情報に相当する。また、前述した飲料販売の日時は、例えば、主制御部２０１の周辺回路２０１ｄに含まれるタイマ等により適宜計時されるものである。
【００２６】
硬貨処理制御部２０２、紙幣処理制御部２０３、接客制御部２０４、販売制御部２０５、入出力制御部２０６、リーダライタ制御部２２０、及びカップ検出制御部２３０は、主制御部２０１に対する複数の従制御部に相当し、ハードウェア面において、主制御部２０１と同様のＣＰＵ、ＲＯＭ、及びＲＡＭを内蔵する。硬貨挿入機構２０７は、釣銭切れを検出する釣銭切れセンサを備え、硬貨投入口６（図１）からの投入硬貨を受け取り、必要に応じて釣銭を返却口３８（図１）から返却するものである。硬貨処理制御部２０２は、硬貨投入機構２０７を制御し、投入硬貨の金種、正偽等の判別、金種別枚数の計算、金庫への余剰硬貨の収容、釣銭払い出し等を行なわせるものである。紙幣挿入機構２０８は、硬貨投入機構２０７と同様に、釣札切れを検出する釣札切れセンサを備え、紙幣挿入口８（図１）からの挿入紙幣を受け取り、必要に応じて釣札を紙幣挿入口８から返却するものである。紙幣処理制御部２０３は、紙幣挿入機構２０８を制御し、挿入紙幣の金種、正偽等の判別、金種別枚数の計算、釣札払い出し等を行なわせるものである。硬貨処理制御部２０２及び紙幣処理制御部２０３は、硬貨投入及び紙幣挿入が行なわれるその都度、処理動作を実行する。尚、硬貨処理制御部２０２及び硬貨投入機構２０７は硬貨識別装置を構成し、紙幣処理制御部２０３及び紙幣挿入機構２０８は紙幣識別装置を構成するが、硬貨識別装置及び紙幣識別装置の代わりに、先払いカード又は後払いカードを挿入するカード読み取り装置（不図示）を設けることによって、飲料を販売できるようにしてもよい。接客面２０９は、金額表示部１０（図１）、嗜好表示部２８（図１）、商品選択釦１４（図１）、増量釦１６、１８、２０（図１）、減量釦２２、２４、２６（図１）、販売中ランプ４０（図１）、販売中止ランプ４２（図１）、釣銭切れランプ４４（図１）、及び前述した個人カップ式飲料販売用パネル５０（図１）から成るものである。接客制御部２０４は、接客面２０９を制御する。つまり、接客制御部２０４は、主制御部２０１からの飲料販売に関する接客指示に従って、販売中ランプ４０、販売中止ランプ４２、釣銭切れランプ４４を点灯させたり、販売飲料別の販売可ランプ又は売り切れランプを点灯させたり、更には、複数の商品選択釦１４の何れが押下されたのかを検出し、このときの検出信号を主制御部２０１に送信したりする。
【００２７】
販売制御部２０５は、図３に例示された販売機構１００を制御し、接客制御部２０４からの前記検出信号に応答した主制御部２０１からの販売指示に従って、利用者が所望する飲料を調理して商品取出口３０（図１）で取り出し可能とするものであり、前述したように、ＣＰＵ２０５ａ、ＲＯＭ２０５ｂ、及びＲＡＭ２０５ｃを備えている。本実施の形態では、主制御部２０１のＲＡＭ２０１ｃ及び／又は販売制御部２０５のＲＡＭ２０５ｃが、例えばレギュラーコーヒーの原料たるコーヒー豆の量、湯量、レギュラーコーヒーの抽出時間、蒸らし湯量等のデータを記憶するものである。このデータに基づいてＣＰＵ２０５ａが動作し、このＣＰＵ２０５ａに制御されて販売機構１００の例えばポンプ１１３、電磁弁１０４、１１４、１２３、前述したピストン（不図示）等が所定時期に所定時間だけ動作することによりレギュラーコーヒー等のカップ飲料を調理し販売するようになっている。
【００２８】
コントロールパネル２１１は、キーボード２１１ａと、このキーボード２１１ａの操作に関する内容を表示する有機ＥＬやＬＣＤ等のディスプレイ２１１ｂとを前面に備えたものである。また、コントロールパネル２１１は、入出力制御部２０６と有線で接続されるとともに、前面扉２（図１）の裏面に着脱自在に配設されて、例えば主制御部２０１のＲＡＭ２０１ｃに記憶される販売条件の設定、金額設定、メンテナンス等を行なう際に操作するものである。入出力制御部２０６は、キーボード２１１ａからの入力情報を主制御部２０１に送信するものである。主制御部２０１は、この入力情報に基づいて、硬貨処理制御部２０２、紙幣処理制御部２０３、接客制御部２０４、販売制御部２０５、リーダライタ制御部２２０、及びカップ検出制御部２３０に対して、それぞれの指示を行なう。この入出力制御部２０６は、前述したように、ＣＰＵ２０６ａ、ＲＯＭ２０６ｂ、及びＲＡＭ２０６ｃを備えている。
【００２９】
ＩＣタグ６０は、前述したように、当該ＩＣタグ６０自身を識別するためのタグＩＤ（識別情報）を記憶する情報記憶媒体である。図５（ｂ）の模式図に例示されるように、本実施の形態のＩＣタグ６０は、タグＩＤ（識別情報）に加えて、個人カップ１２７の利用者の生年月日（飲料情報）、利用者の飲料に関する嗜好情報（飲料情報）、利用者に販売した飲料の総販売数（飲料情報）等を記憶するものである。利用者の生年月日や嗜好情報等は、当該利用者が個人カップ１２７を取得する際に、当該個人カップ１２７を供給する前述した会社等が適宜なリーダライタを通じて予め入力するものである。或いは、例えば、利用者自身が接客パネル２０９上の入力キー５１を適宜操作することにより、リーダライタ７０を通じて、個人カップ１２７に固着されたＩＣタグ６０に生年月日や嗜好情報等を記憶させてもよい。
【００３０】
リーダライタ（読出部、書込部）７０は、前述したように、個人カップ１２７に固着されたＩＣタグ６０に記憶されているタグＩＤ等を読み出す機能を有する装置である。このリーダライタ７０は、主制御部２０１からの命令に基づいてリーダライタ制御部２２０により制御されて動作するものである。
【００３１】
カップ検出制御部２３０は、載置台３５（図２）に設けられたカップ検出器３５ａを制御するものである。カップ検出器３５ａは例えば圧力センサからなり、載置台３５に所定重量の個人カップ１２７が置かれると検出信号を発生する機能を有する。
【００３２】
尚、主制御部２０１と従制御部２０２乃至２０６、２２０、及び２３０との間の通信は、主制御部２０１が優先的な送信権を有するポーリング方式、又は、主制御部２０１及び従制御部２０２乃至２０６、２２０、及び２３０が対等な送信権を有するコンテンション方式の何れであってもよい。
【００３３】
＝＝＝飲料販売方法（記憶部の飲料情報を参照する場合）＝＝＝
＜＜＜無料販売＞＞＞
図面を参照しつつ、前述した構成を備えた飲料用自動販売機１が実施する個人カップ式飲料販売方法における主制御部２０１の処理の手順について説明する。尚、本実施の形態では、利用者は、飲料の販売を要求すべく硬貨投入口６又は紙幣挿入口８を通じて金銭を投入しているものとする。尚、飲料販売動作のトリガはこれに限定されるものではなく、例えば、利用者により商品選択釦１４が押下されるものであってもよい。商品選択釦１４を押下した後、後述する無料販売が実施され得る旨のメッセージを受けて、利用者は金銭を投入するものであってもよい。そして、このメッセージとは、飲料用自動販売機１に予め表示されるものであってもよい。
【００３４】
図６のフローチャートに例示されるように、主制御部２０１は、カップ検出制御部２３０から受信した検出信号に基づいて、個人カップ１２７の有無を判定する（Ｓ１００）。もし、載置台３５に個人カップ１２７が置かれていない場合（Ｓ１００：ＮＯ）、主制御部２０１は通常販売を実施すべく販売制御部２０５に信号を送信する（Ｓ１０１）。  
もし、載置台３５に個人カップ１２７が置かれている場合（Ｓ１００：ＹＥＳ）、主制御部２０１は、リーダライタ制御部２２０を通じて、個人カップ１２７に固着されたＩＣタグ６０からタグＩＤを読み出す（Ｓ１０２）。
【００３５】
次に、主制御部２０１は、ＲＡＭ２０１ｃに記憶された販売履歴データ２０１０（図５（ａ））を参照し、前記のタグＩＤに対応付けられた直近の過去の総販売数（Ｎ）を読み出す（Ｓ１０３）。図５（ａ）の例示によれば、例えばタグＩＤ「Ａ０００５」に該当する個人カップ１２７に対して、直近の過去のＮは２である。
【００３６】
次に、主制御部２０１は、前記のＮが今回の販売により所定数に達するか否かを判定する（Ｓ１０４）。例えば今回の販売が５０杯目であり、この５０杯目の飲料を無料にする場合には、所定数は５０となる。そこで、今回の販売によりＮが所定数の５０となるためには、直近の過去のＮは４９（＝５０−１）でなければならない。よって、ステップＳ１０４における判定は、直近の過去のＮが（所定数−１）であるか否かを判定することに等しい。もし、Ｎが（所定数−１）でない場合（Ｓ１０４：ＮＯ）、今回の販売は無料販売の対象ではないため、後述する有料販売が実施される（Ｓ１０５）。
【００３７】
もし、Ｎが（所定数−１）である場合（Ｓ１０４：ＹＥＳ）、主制御部２０１は、例えば、個人カップ式飲料販売用パネル５０のディスプレイ５２に「５０杯目は無料です。自動ボタン又はお好みの飲料ボタンを押して下さい。」といったメッセージを表示させる（Ｓ１０６）。ここで、「自動ボタン」とは、後述するように、販売履歴情報に基づいて決定された飲料を自動的に販売させるための釦であり、本実施の形態では、個人カップ式飲料販売用パネル５０の入力キー５１のうちの何れかに相当する。尚、以後、この「自動ボタン」に該当する入力キー５１を自動商品選択釦５１と称する。また、「飲料ボタン」とは、前述した商品選択釦１４に相当する。
【００３８】
もし、利用者が自動商品選択釦５１を押下した場合（Ｓ１０７：ＹＥＳ）、主制御部２０１は、ＲＡＭ２０１ｃに記憶された販売履歴データ２０１０に対して、タグＩＤ、飲料、及び添加物（砂糖及びクリーム）毎にソーティングを実行する（図８参照）。図８は、タグＩＤ、飲料、及び添加物毎にソーティングが実行された販売履歴データ２０１０の構成例を示す模式図である。同図の例示によれば、タグＩＤ「Ａ０００５」に該当する個人カップ１２７に対して、例えば、砂糖が増量され且つクリームが減量されたレギュラーコーヒーの販売数は５である。このように、主制御部２０１は、コーヒーや紅茶等の場合には添加物も含めた飲料毎に販売数を算出する（Ｓ１０８）。次に、主制御部２０１は、ステップＳ１０８において算出した販売数が最大の飲料を販売すべく、販売制御部２０５に信号を送信する（Ｓ１０９）。
【００３９】
もし、利用者が、自動商品選択釦５１ではなく、商品選択釦１４を押下した場合（Ｓ１０７：ＮＯ及びＳ１１０：ＹＥＳ）、主制御部２０１は、該当する飲料を販売すべく、販売制御部２０５に信号を送信する（Ｓ１１１）。
【００４０】
販売制御部２０５に制御されて販売機構１００から個人カップ１２７へ飲料が販売されると、販売制御部２０５は販売が終了した旨の販売終了信号を送信し、主制御部２０１はこれを受信する（Ｓ１１２：ＹＥＳ）。
【００４１】
次に、主制御部２０１は、ＲＡＭ２０１ｃにおいて、タグＩＤに対して０にリセットしたＮを対応づけるとともに、当該Ｎを含む販売履歴情報を販売履歴データ２０１０に追加更新する（Ｓ１１３）。この販売履歴情報とは、前述したように、飲料販売の日時、飲料、飲料の価格、添加物情報、及びＮである。Ｎを０にリセットすることにより、例えば５０杯目無料のサービスのためのＮの積算は次の販売から開始されることとなる。
【００４２】
尚、前述した無料販売では、利用者がステップＳ１００以前に予め金銭を投入しているため、当該投入された金銭はステップＳ１０６以後の適時に返却口３８から返却されるものとする。但し、この無料販売の動作のトリガが例えば利用者による商品選択釦１４の押下の場合、金銭の返却の処理は必要ない。
【００４３】
また、ステップＳ１０９においては過去の販売数が最大の飲料が自動的に選択されたが、これに限定されるものではなく、例えばコーヒーや紅茶等の場合には、過去の添加物の増減の平均値に相当する添加物が添加されたものであってもよい。この平均値とは、販売履歴データ２０１０における砂糖及びクリームのそれぞれについて、増量に＋１を対応させ、減量に−１を対応させ、普通に０を対応させて販売数の重みをつけて平均した値を意味する。また、例えば直近の過去の飲料がステップＳ１０９において選択されてもよい。
【００４４】
＜＜＜有料販売＞＞＞
図７のフローチャートを参照しつつ、前述したステップＳ１０５（図６）における主制御部２０１の処理の詳細な手順（ステップＳ１０５０乃至１０５７）について説明する。同図に例示されるように、主制御部２０１は、硬貨処理制御部２０２又は紙幣処理制御部２０３から受信した情報に基づいて、利用者により投入された金銭の額が所定額以上か否かを判定する（Ｓ１０５０）。
【００４５】
投入された金銭の額が１杯の飲料を購入するために必要な所定額以上であれば（Ｓ１０５０：ＹＥＳ）、主制御部２０１は、更に、前述した自動商品選択釦５１が押下されているか否かを判定する（Ｓ１０５１）。  
もし、利用者が自動商品選択釦５１を押下していた場合（Ｓ１０５１：ＹＥＳ）の主制御部２０１の処理の手順（Ｓ１０５２、Ｓ１０５３、及びＳ１０５６）は、前述した無料販売におけるステップＳ１０８、Ｓ１０９、及びＳ１１２と同じである。  
もし、利用者が、自動商品選択釦５１ではなく、商品選択釦１４を押下した場合（Ｓ１０５１：ＮＯ及びＳ１０５４：ＹＥＳ）の主制御部２０１の処理の手順（Ｓ１０５５及びＳ１０５６）は、前述した無料販売におけるステップＳ１１１及びＳ１１２と同じである。
【００４６】
販売制御部２０５に制御されて販売機構１００から個人カップ１２７へ飲料が販売されると、販売制御部２０５は販売が終了した旨の販売終了信号を送信し、主制御部２０１はこれを受信する（Ｓ１０５６：ＹＥＳ）。
【００４７】
次に、主制御部２０１は、ＲＡＭ２０１ｃにおいて、タグＩＤに対して１つインクリメントさせた総販売数（Ｎ＋１）を対応づけるとともに、当該Ｎ＋１を含む販売履歴情報を販売履歴データ２０１０に追加更新する（Ｓ１０５７）。また、主制御部２０１は、ＩＣタグに記憶された総販売数（図５（ｂ））を（Ｎ＋１）に更新する。このように、総販売数はＩＣタグ６０に記憶しステップＳ１０３において読み出すものであってもよい。
【００４８】
尚、前述した飲料販売方法では、総販売数が所定数に達したとき無料販売を実施するものであったが、例えば割引販売を実施するものであってもよい。割引販売の場合、例えばステップＳ１０６の次に、ステップＳ１００以前に利用者により予め投入された金銭の額が割引された所定額に相当するか否かを判定すればよい。この投入された金銭の額から割引された所定額を減じた分の金銭がステップＳ１０６以後の適時に返却口３８から返却される。但し、この無料販売の動作のトリガが例えば利用者による商品選択釦１４の押下の場合、割引された所定額分の有料販売が実施される。
【００４９】
＝＝＝飲料販売方法（ＩＣタグの飲料情報を参照する場合）＝＝＝
図面を参照しつつ、前述した構成を備えた飲料用自動販売機１が実施する個人カップ式飲料販売方法における主制御部２０１の処理の手順について説明する。尚、利用者は、飲料の販売を要求すべく例えば硬貨投入口６又は紙幣挿入口８を通じて金銭を投入しているものとする。
【００５０】
図９のフローチャートに例示されるように、主制御部２０１は、カップ検出制御部２３０から受信した検出信号に基づいて、個人カップ１２７の有無を判定する（Ｓ２００）。もし、載置台３５に個人カップ１２７が置かれていない場合（Ｓ２００：ＮＯ）、主制御部２０１は通常販売を実施すべく販売制御部２０５に信号を送信する（Ｓ２０１）。  
もし、載置台３５に個人カップ１２７が置かれている場合（Ｓ２００：ＹＥＳ）、主制御部２０１は、リーダライタ制御部２２０を通じて、個人カップ１２７に固着されたＩＣタグ６０から利用者の生年月日、利用者の嗜好情報、飲料の総販売数（Ｎ）等（図５（ｂ））を読み出す（Ｓ２０２）。尚、前述したように、生年月日や嗜好情報等は、利用者が個人カップ１２７を取得する際に、当該個人カップ１２７を供給する会社等が適宜なリーダライタを通じて予め入力したものとする。
【００５１】
次に、主制御部２０１は、周辺回路２０１ｄに含まれる前述したタイマにより計時された現在の日付（月及び日、ｍｄ）が、利用者の生年月日における月及び日と一致するか否かを判定する（Ｓ２０３）。つまり、現販売日が利用者の誕生日か否かが判定される。
【００５２】
もし、現販売日が利用者の誕生日であれば（Ｓ２０３：ＹＥＳ）、主制御部２０１は、例えば個人カップ式飲料販売用パネル５０のディスプレイ５２に「お誕生日おめでとうございます。１杯無料です。」といったメッセージを表示させる（Ｓ２０４）。  
もし、現販売日が利用者の誕生日でなければ（Ｓ２０３：ＮＯ）、主制御部２０１は、前述と同様に、Ｎが今回の販売により所定数に達するか否かを判定する（Ｓ２０５）。もし、Ｎが（所定数−１）である場合（Ｓ２０５：ＹＥＳ）、主制御部２０１は、例えば個人カップ式飲料販売用パネル５０のディスプレイ５２に、例えば「５０杯目は無料です。」といったメッセージを表示させる（Ｓ２０６）。
【００５３】
ステップＳ２０４又はステップＳ２０６に引き続き、主制御部２０１は、嗜好情報に該当する飲料を販売すべく、販売制御部２０５に信号を送信する（Ｓ２０７）。販売制御部２０５に制御されて販売機構１００から個人カップ１２７へ飲料が販売されると、販売制御部２０５は販売が終了した旨の販売終了信号を送信し、主制御部２０１はこれを受信する（Ｓ２０８：ＹＥＳ）。次に、主制御部２０１は、リーダライタ７０を通じて、０にリセットしたＮをＩＣタグ６０に書き込むべくリーダライタ制御部２２０に信号を送信する（Ｓ２０９）。
【００５４】
もし、現販売日が利用者の誕生日でなく、Ｎが（所定数−１）でない場合（Ｓ２０３：ＮＯ及びＳ２０５：ＮＯ）、主制御部２０１は、硬貨処理制御部２０２又は紙幣処理制御部２０３から受信した情報に基づいて、利用者により投入された金銭の額が所定額以上か否かを判定する（Ｓ２１０）。投入された金銭の額が１杯の飲料を購入するために必要な所定額以上であれば（Ｓ２１０：ＹＥＳ）、主制御部２０１の処理の手順（Ｓ２１１及びＳ２１２）は、前述したステップＳ２０７及びＳ２０８と同じである。次に、主制御部２０１は、リーダライタ７０を通じて、１つインクリメントさせた総販売数（Ｎ＋１）をＩＣタグ６０に書き込むべくリーダライタ制御部２２０に信号を送信する（Ｓ２１３）。
【００５５】
尚、前述した飲料販売方法では、販売日が利用者の誕生日である場合、又は総販売数が所定数に達した場合に無料販売を実施するものであったが、例えば割引販売を実施するものであってもよい。割引販売の場合、例えばステップＳ２０４又はＳ２０６の次に、投入された金銭の額が割引された所定額か否かを判定し、当該投入された金銭の額から割引された所定額を減じた分の金銭がステップＳ２０４又はＳ２０６以後の適時に返却口３８から返却されるものであってもよい。
【００５６】
また、前述した飲料販売方法では、販売日が利用者の誕生日と一致した場合のみ無料販売又は割引販売を実施するものであったが、これに限定されるものではない。例えば、販売の月日が誕生日と一致した場合には無料販売を実施し、当該誕生日の前後の所定の期間は割引販売を実施するようにステップＳ２０３の判定を行ってもよい。このような様々なサービスが実施されれば、利用者が個人カップ式飲料販売のサービスを受ける動機を高めることができる。
【００５７】
＝＝＝飲料情報の正確な読み出し＝＝＝
本実施の形態の飲料用自動販売機１では、個人カップ１２７に固着される情報記録媒体はＩＣタグ６０であるため、例えば飲料により当該ＩＣタグ６０が汚れたとしても、リーダライタ７０との間のラジオ波の送受信には支障が生じない。また、個人カップ１２７を例えば洗浄しても、ＩＣタグ６０自体が脱落しない限り、リーダライタ７０とのラジオ波の送受信には支障が生じない。従って、本実施の形態の飲料用自動販売機１では、例えばバーコードをカップの表面に印刷する場合に比べて、個人カップ１２７に付加された情報がより正確に読み出される。
【００５８】
また、本実施の形態の飲料用自動販売機１では、リーダライタ７０とＩＣタグ６０との間で前記の情報を載せたラジオ波が送受信されればよいため、リーダライタ７０とＩＣタグ６０とがとるべき相対位置（図２）の精度は、例えば光学的な読み出しの必要なバーコードとそのリーダとの相対位置の精度ほど厳しくない。本実施の形態で個人カップ式飲料販売のサービスを受けるためには、利用者は、例えば個人カップ１２７の取っ手を持って商品取出口３０に挿入して載置台３５に置き、そのまま取っ手から手を離せばよい。このような利用者の動作により商品取出口３０内の図２における略左側（リーダライタ７０側）にＩＣタグ６０が自然と向くように、当該ＩＣタグ６０が個人カップ１２７に予め固着されているため、前記の相対位置間の距離はより短くなり、ラジオ波の送受信に要する電力を小さくできる。
【００５９】
以上から、個人カップ１２７に付加された情報を利用者に負担を強いることなく正確に読み出せる飲料用自動販売機１が提供されたことになる。
【００６０】
更に、本実施の形態の飲料用自動販売機１の個人カップ式飲料販売方法によれば、利用者毎に販売履歴情報が蓄積されるため、総販売数が所定数になったときに無料又は割引販売するといった特典が利用者に提供される。また、商品や添加物（砂糖及びクリーム）のめんどうな設定をすることなく、自動的に「いつもの」飲料が利用者に提供される。
【００６１】
更にまた、本実施の形態の飲料用自動販売機１の個人カップ式飲料販売方法によれば、ＩＣタグにも情報（生年月日、嗜好、総販売数）を書き込めるため、販売日が利用者の誕生日のとき又は総販売数が所定数になったときに無料又は割引販売するといった特典が利用者に提供される。また、商品や添加物（砂糖及びクリーム）のめんどうな設定をすることなく、自動的に「いつもの」飲料が利用者に提供される。
【００６２】
以上から、利用者がカップ式飲料販売のサービスを受ける動機付けが形成され、よって、所謂マイカップ機能を備えた飲料用自動販売機１の普及が促進される。
【００６３】
尚、前述した飲料販売方法では、ＲＡＭ２０１ｃに記憶された飲料情報及びＩＣタグ６０に記憶された飲料情報の一方のみを参照するものであったが、これに限定されるものではなく、両方の飲料情報を参照するものであってよい。また、前述した飲料販売方法における各種サービスは、その複数が組み合わさって実施されるものであってもよい。
【００６４】
また、図１０（ａ）の模式図に例示されるように、ＩＣタグ６０はラジオ波を吸収しないケース６５の保持部６５ａに収容されて、接着部６５ｂでもって個人カップ１２７に対して着脱可能に貼付されるものであってもよい。或いは、図１０（ｂ）の模式図に例示されるように、ＩＣタグ６０は、カップ部１２７ａと受け皿部１２７ｂとからなる個人カップ１２７の受け皿部１２７ｂに固着又は貼付されるものであってもよい。何れの場合でも、利用者の用途又は好みに応じたカップを使って個人カップ式飲料販売のサービスを受けることができる。このようにカップの交換が可能であれば、１つのＩＣタグ６０の保持者（利用者）は個人に限定されるものではない。例えば会社の部課毎に１つのＩＣタグ６０を保持し、各部課に所属する社員が必要に応じて自身のカップにケース６５入りのＩＣタグ６０（図１０（ａ））を貼付したり、自身のカップにＩＣタグ６０付きの受け皿１２７ｂ（図１０（ｂ））を用いたりすればよい。但し、このように個人以外で所有される場合、ＩＣタグ６０に記憶されるタグＩＤ以外としては、図５（ｂ）に例示される生年月日及び嗜好情報の代わりに、例えば前記の部課の識別情報や累積価格情報等があり得る。
【００６５】
更に、前述した飲料用自動販売機１では、商品取出口３０の載置台３５にカップ検出器３５ａが設けられ、前述した飲料販売方法では、ステップＳ１００及びＳ２００においてカップ検出器３５ａを通じて個人カップ１２７の有無が判定されるものであったが、これに限定されるものではない。図２に例示される商品取出口３０内部の例えば左側面及び右側面に、例えば赤外線を出力する発光部とこれを受光する受光部とをそれぞれ設け、当該受光部で赤外線を受光しなくなってから経た時間に応じて個人カップ１２７の載置の有無を判定してもよい。即ち、例えば金銭投入をトリガとして発光部から赤外線を発光させ、赤外線遮断の有無及び遮断後の前記の時間をタイマ等により適宜計時する。そして、個人カップ１２７の載置の有無を、赤外線の遮断時間が所定時間以上か否かと対応付ければよい。
【００６６】
＝＝＝飲料販売システム＝＝＝
図１１のブロック図に例示されるように、前述した販売履歴データ２０１０は飲料用自動販売機１の外部のデータベースに記憶されるものであってもよい。同図の例示によれば、各飲料用自動販売機１（Ａ、Ｂ、Ｃ等）は、例えば通信網５００を介して管理用サーバ（サーバ）６００に接続されている。本実施の飲料販売システム１０００は、これらの飲料用自動販売機１と、管理用サーバ６００と、個人カップ１２７に固着されるＩＣタグ６０とを備えて構成される。管理用サーバ６００は、例えば、複数の飲料用自動販売機１を管理する会社が有する情報処理装置であり、複数の自動販売機毎に販売履歴データ６１００を対応付けて記憶する販売履歴データベース（記憶部）６１０を備えている。
【００６７】
各飲料用自動販売機１の主制御部２０１は、通信網５００を介して管理用サーバ６００の販売履歴データベース６１０にアクセスすべく通信部（不図示）を制御する。そして、主制御部２０１は、リーダライタ７０を通じて読み出したタグＩＤに対応付けられた飲料情報を、アクセス先の販売履歴データ６１００から読み出すべく通信部を制御して、前述した飲料販売方法を実施する。本実施の形態の飲料販売システム１０００によれば、利用者に対し複数の飲料用自動販売機１における一貫した個人カップ式飲料販売のサービスを提供できる。
【００６８】
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【図面の簡単な説明】
【００６９】
【図１】本実施の形態の飲料用自動販売機の外観構成例を示す正面図である。
【図２】本実施の形態の商品取出口の内部構成例とＩＣタグが固着されたカップの外観構成例とを示す斜視図である。
【図３】本実施の形態の販売機構の概略構成例を示すブロック図である。
【図４】本実施の形態の飲料用自動販売機の構成例を示すブロック図である。
【図５】（ａ）は、本実施の形態の販売履歴データの構成例を示す模式図であり、（ｂ）は、本実施の形態のＩＣタグが記憶する飲料情報の構成例を示す模式図である。
【図６】本実施の形態の販売履歴データの飲料情報を参照する無料飲料販売方法の処理の流れを示すフローチャートである。
【図７】本実施の形態の販売履歴データの飲料情報を参照する有料飲料販売方法の処理の流れを示すフローチャートである。
【図８】本実施の形態の販売履歴データの構成例を示すもう一つの模式図である。
【図９】本実施の形態のＩＣタグの飲料情報を参照する飲料販売方法の処理の流れを示すフローチャートである。
【図１０】本実施の形態のＩＣタグのカップに対する貼付又は固着例を示す模式図である。
【図１１】本実施の形態の飲料販売システムの構成例を示すブロック図である。
【符号の説明】
【００７０】
１    飲料用自動販売機
３０    商品取出口
３５    載置台
３５ａ  カップ検出器
５０    個人カップ飲料販売用パネル
５１    入力キー
５２    ディスプレイ
６０    ＩＣタグ
６５    ケース
６５ａ  保持部
６５ｂ  接着部
７０    リーダライタ
１２７    個人カップ
１２７ａ  カップ部
１２７ｂ  受け皿部
２２０    リーダライタ制御部
２３０    カップ検出制御部
１０００    飲料販売システム
２０１０    販売履歴データ
【図１】
2006127138.tif 000003
【図２】
2006127138.tif 000004
【図３】
2006127138.tif 000005
【図４】
2006127138.tif 000006
【図５】
2006127138.tif 000007
【図６】
2006127138.tif 000008
【図７】
2006127138.tif 000009
【図８】
2006127138.tif 000010
【図９】
2006127138.tif 000011
【図１０】
2006127138.tif 000012
【図１１】
2006127138.tif 000013